(57)【特許請求の範囲】
【請求項１】
周縁部から突出する少なくとも２つの突起部を有するスピーカ用ネットと、
溝部を備えこの溝部に少なくとも２つの係止部を設けたケースと、
前記溝部で２つの前記係止部の間に収まるように嵌合する少なくとも１つの弾性体とを備え、
前記スピーカ用ネットの突起部を前記ケースの係止部に係止させ、係止時において、前記スピーカ用ネットの周縁部の２つの前記突起部の間の部分が前記弾性体の開放端面を圧接するように構成したことを特徴とするスピーカ用ネットの取付構造。
【請求項２】
周縁部から突出する少なくとも２つの突起部を有するスピーカ用ネットと、
溝部を備えこの溝部に少なくとも２つの貫通係止孔を設けたケースと、
前記溝部で２つの前記貫通係止孔の間に収まるように嵌合する少なくとも１つの弾性体とを備え、
前記スピーカ用ネットの突起部を前記ケースの貫通係止孔に貫通係止させると共に、係止時において、前記スピーカ用ネットの周縁部の２つの前記突起部の間の部分が前記弾性体の開放端面を圧接するように、前記少なくとも１つの突起部を前記ケースの貫通係止孔に貫通係止後変形させたことを特徴とするスピーカ用ネットの取付構造。
【請求項３】
前記溝部は、その長手方向に所定幅を有し、前記係止孔は、該溝部底面に設けられ、前記溝部の両側壁から各所定距離を有した中央部に設けられ、この係止孔に前記少なくとも１つの突起部が嵌合するように構成されたことを特徴とする請求請２記載のスピーカ用ネットの取付構造。
【請求項４】
前記突起部の溝長手方向距離と係止孔の溝長手方向距離とを前記突起部と係止孔とが嵌合し得る程度に略同一長に構成したことを特徴とする請求項２または３記載のスピーカ用ネットの取付構造。
【発明の詳細な説明】
【０００１】
【発明の属する技術分野】
本発明は、スピーカ用ネットの取り付け構造に関し、特に、電子楽器等に用いられるスピーカ用ネットの取り付け構造に関する。
【０００２】
【従来の技術】
従来の電子楽器等の機器におけるスピーカ用ネットの取り付け構造としては、例えば、スピーカ用ネットの周縁部を電子楽器等のスピーカケースの内部に溶着固定するようにしている。また、別の従来のスピーカ用ネットの取り付け構造では、スピーカ用ネットの周縁部に固定片（爪）を突設し、これをスピーカケースに貫通させて折り曲げた後、その折れ曲げた部分に接着剤を塗布してスピーカ用ネットを固定するようにしている。さらにまた、別の従来技術では、特開平２ー１５８８００に見られるようにスピーカ用ネット一体型上ケースと下ケースとの合わせ目に弾性体を介在させている。
【０００３】
【発明が解決しようとする課題】
しかしながら、上記従来のスピーカ用ネットの取り付け構造では、溶着や接着のための設備及び工程が必要であり、また、溶着、接着箇所の取り外しが困難であるためリサイクルや廃棄のための分解も容易でなく、作業性が悪いという問題があった。また、上記別の従来のスピーカ用ネットの取り付け構造では、部品のリサイクル時や廃棄処分時における分別上、接着剤等の異物が付着しているのは不都合であった。さらに、スピーカ用ネット周縁部における固定片がない部分では、周縁部が固定されていないためケースとのクリアランスが十分でないと、びりつきが発生しやすい。びりつきにくくするため、前記クリアランスを十分に取ると、美感が損なわれるだけでなく、このクリアランス部分から不用意に異物がケース内に進入することもあり得る。従って、これを避けるため、特開平２ー１５８８００では、前記クリアランスをケース内に設け、さらにこのクリアランスに弾性体を圧接し、該クリアランスを実質的になくすることにより、好ましくない方向への漏れ音を防止すると共に、ケース全体及びケース設置台への音響伝導を良好にしている。
【０００４】
しかしながら、この従来技術では、構成が複雑且つ組立困難になるばかりでなく、びりつきが発生しやすい上記弾性体周囲部が、組付け時に見えないので、組付けて音出しをしてだめだったらやり直すという作業の作業性が著しく落ちると言う問題があった。
【０００５】
本発明は上記従来技術の問題を解決するためになされたものであり、その目的は、びりつきを回避しつつ外観を良好にすると共に、溶着や接着等のための設備を必要とせず組み付け及び分解を容易にすることができるスピーカ用ネットの取り付け構造を提供することにある。
【０００６】
上記目的を達成するために本発明の請求項１のスピーカ用ネットの取付構造は、周縁部から突出する少なくとも２つの突起部を有するスピーカ用ネットと、溝部を備えこの溝部に少なくとも２つの係止部を設けたケースと、前記溝部で２つの前記係止部の間に収まるように嵌合する少なくとも１つの弾性体とを備え、前記スピーカ用ネットの突起部を前記ケースの係止部に係止させ、係止時において、前記スピーカ用ネットの周縁部の２つの前記突起部の間の部分が前記弾性体の開放端面を圧接するように構成したことを特徴とする。
【０００７】
この構成によって、スピーカ用ネットのの周縁部の突起部の間の部分が弾性体の前記開放端面を圧接した状態で、該ネットを上ケースに係止させている。つまり、ネットの上ケースへの組み込み後においては、ネットと上ケースとの間に該弾性体が介在しているので、びりつきが防止される。さらに、弾性体の厚さによりスピーカ用ネットの水平方向の位置及び高さが規制されるので、外観を向上することができる。
【０００８】
よって、びりつきを回避しつつ外観を良好にすると共に、溶着や接着等の設備を必要とせず組み付け及び分解を容易にすることができる。しかも、突起部と係止孔からなる係止部分が各々少なくとも２個以上であることから、前記開放端面への周囲部の圧接が一義的に決定されるので、溝部両側壁に周囲部が接触しない程度に溝部幅をより小さくし得るので美感が損なわれることがない。また、弾性体は形状の制約を受けないので、係止部の設計が容易となる。
【０００９】
なお、前記突起部及び係止孔は、２以上適正数いくらでも設けてよく、その場合は弾性体を各突起部間に配置しているので作業性が良好になる。弾性体は、スピーカ用ネットを安定して支持することができる程度にその数、長さ及び位置を設定すればよい。また、前記２つの突起及び係止部は、その１ペアが鉤型突起と係止孔とからなり、他ペアが嵌合後において、各当接部（ネット周縁部と弾性体開放端面）を圧着するような構成（例えば、突起を孔に貫通後ねじり圧着）であれば、上記の作用効果が達成できる。
【００１０】
同じ目的を達成するために本発明請求項２のスピーカ用ネットの取付構造は、周縁部から突出する少なくとも２つの突起部を有するスピーカ用ネットと、溝部を備えこの溝部に少なくとも２つの貫通係止孔を設けたケースと、前記溝部で２つの前記貫通係止孔の間に収まるように嵌合する少なくとも１つの弾性体とを備え、前記スピーカ用ネットの突起部を前記ケースの貫通係止孔に貫通係止させると共に、係止時において、前記スピーカ用ネットの周縁部の２つの前記突起部の間の部分が前記弾性体の開放端面を圧接するように、前記少なくとも１つの突起部を前記ケースの貫通係止孔に貫通係止後変形させたことを特徴とする。
【００１１】
この構成により、スピーカ用ネットの突起部を貫通係止孔に貫通させ、貫通した部分を変形させるだけで前記突起部が係止されるので、係止部の構成が簡単になる。また、弾性体は形状の制約を受けないので、設計が容易となる。なお、前記突起部及び貫通係止孔は、２以上適正数いくらでも設けてよく、その場合は弾性体を各突起部間に配置しているので作業性が良好になる。弾性体は、スピーカ用ネットを安定して支持することができる程度にその数、長さ及び位置を設定すればよい。
【００１２】
前記同じ目的を達成するために本発明請求項３のスピーカ用ネットの取付構造は、上記請求項２記載の構成において、前記溝部は、その長手方向に所定幅を有し、前記係止孔は、該溝部底面に設けられ、前記溝部の両側壁から各所定距離を有した中央部に設けられ、この係止孔に前記少なくとも１つの突起部が嵌合するように構成されたことを特徴とする。
【００１３】
この構成によれば、上ケースへのネット取付をより正確に行うことができ、特に周縁部と上ケースとの間（前記両者で形成される溝幅間隔）を一定に保つことが出来る。請求項２の構成より以上に美感が損なわれることがない。
【００１４】
同じ目的を達成するために本発明請求項４のスピーカ用ネットの取り付け構造は、上記請求項２または３のいずれか１項に記載の構成において、前記突起部の溝長手方向距離と係止孔の溝長手方向距離とを前記突起部と係止孔とが嵌合し得る程度に略同一長に構成したことを特徴とする。
【００１５】
この構成により、本発明請求項３の構成に比べて、ケースへのネット取付がより正確に行うことが出来る。
【００１６】
【発明の実施の形態】
以下、本発明の実施の形態を図面を参照して説明する。
【００１７】
（第１の実施の形態）
図１は、本発明の第１の実施の形態に係るスピーカ用ネットの取り付け構造が適用される電子楽器本体の外観図である。該電子楽器本体１は、左右のスピーカ部２を有する鍵盤楽器であり、本実施の形態に係るスピーカ用ネットの取り付け構造が各スピーカ部２に設けられている。
【００１８】
図２は、上ケース６の部分斜視図である。図３は、スピーカ用ネット４を裏側からみた斜視図である。図２、３に示した上ケース６及びネット４はいずれも、図１に示す電子楽器本体１の右側のスピーカ部２の構成要素である。左側のスピーカ部２も同様に構成される。
【００１９】
図４は、図２のＡ−Ａ線に沿う上ケース６の部分断面図にネット４及び弾性体５を合わせて示した分解断面図（Ａ−Ａ矢視断面図）である。後述するように、ネット４は弾性体５を介して上ケース６に組み付けられる。
【００２０】
ネット４は金属製であって、図３、図４に示すように４半円形の扇状に形成され、周縁部４ａが全周に亘って略直角に折れ曲がっている。周縁部４ａの２つの辺及び円弧部には各々２つずつ、合計６つの爪７ａ〜７ｆ（突起部）が設けられている。各爪７は、矩形板状で、周縁部４ａから下方（図４）に突出してネット４と一体に形成されている。各爪７の厚さはネット４の厚さと略同一である。
【００２１】
また、図２、図４に示すように、ネット４の周縁部４ａに対向する上ケース６の部分には、両側壁とこれに連設された底面６ｃからなるＵ字溝６ａが形成されている。Ｕ字溝６ａには、その底面６ｃにネット４の爪７が貫通可能な貫通係止孔６ｂ（係止部）が設けられている。この係止孔６ｂは、溝部底面６ｃにおいて、前記溝部の両側壁から各所定距離Ｗ１を有した中央部に設けられ、この係止孔６ｂは、ネット４の各爪７に対応するＵ字溝６ａの底面６ｃの適所に、合計６つ穿設されている。そして前記突起部に対応した爪７がこの係止孔に前記嵌合するように構成される。
【００２２】
弾性体５は、シリコンゴム、ポロン等の弾性材料で構成され、周縁部４ａの２つの辺及び円弧部に対応して合計３つ設けられる。各弾性体５は、上記溝部に嵌入された際、該溝部の両側壁に対向もしくは接する２つの側面５ａ、５ｂと溝部底面に接する下面５ｃと、ネット周縁部に対向する開放端面５ｄとからなる矩形断面を有している。各弾性体５の長手方向の長さは、ネット４の周縁部４ａに設けた相隣接する２つの爪７の間（例えば爪７ａと爪７ｂとの間）に収まる程度にそれぞれ設定されている。
【００２３】
上記構成の本実施の形態のスピーカ用ネットの取り付け構造におけるネット４の上ケース６への組み付け方法を以下説明する。
【００２４】
図５は、図２においてＡ−Ａ線に沿って矢視方向に見たＡ−Ａ断面図であって、ネット４を上ケース６に組み付けた状態を示す部分断面図である。
【００２５】
まず、上ケース６の溝部６ａに弾性体５を嵌入して組み付ける。嵌入後において、弾性体５の開放端面５ｄにネット４の周縁部４ａ（下面）を当接させ、この当接時に突起部（爪７）を係止孔６ｂに貫通させる。すなわちネット４の周縁部４ａに設けた相隣接する爪７の間（爪７ａ及び爪７ｂ間、爪７ｃ及び爪７ｄ間、爪７ｅ及び爪７ｄ間）において、周縁部４ａを各弾性体５の開放端面５ｄに当接させる。各爪７は上ケース６の各係止孔６ｂに貫通しているので、上ケース６の下側に突出した部分をペンチ等でひねって変形させる。このひねる時にひねる方向の力が、ケースにネットが近づくような力に変換される。これによって爪７がネット４の抜け止めとして機能する。
【００２６】
本第１の実施の形態によれば、ネット４を上ケースの溝部６ａに嵌入した弾性体５に当接し、係止孔から爪７を突出させ、その状態で爪７をひねるだけで組み付けが完了する。溶着や接着等、組み付けや分解のために特別の設備が不要であり、作業性も良好である。
【００２７】
また、ネット４の上ケース６に対する水平方向の相対的位置が、爪７とそれに対応する係止孔６ｂによって規制され、上下方向の相対位置が弾性部材の上下方向厚さによって、それぞれ規定されるので、ネット４の高さが安定して均一となると共に、ネット４と上ケース６とのクリアランスがほぼ均一となり、外観を良好に維持することができる。また、ネット４の周縁部４ａにおける爪７の無い部分は、上下方向に弾性体５の厚さの分だけ上ケース６から隔離し、離間した状態で、上ケースとネットとが幾分かの圧接状態で当接固着され、これによって、当該部分におけるびりつきの発生が防止される。しかも、爪７の数は抜け止め用としての最低限の数に設定すればよいので、組み付け性を悪化させることもない。
【００２８】
さらに、部品のリサイクル時や廃棄処分時においても、接着剤等の異物が付着しないので、分別上も好都合である。また、弾性体５をネット４の爪７が無い部分、即ち上ケース６の貫通孔６ｂ以外の部分でＵ字溝６ａに嵌合させるようにしたので、弾性体５を貫通可能に爪７を形成する等の形状上の制約を受けない。よって、ネット４を上ケース６に係止させるように構成する上で、爪７の設計が容易になる。
【００２９】
よって、びりつきを回避しつつ外観を良好にすると共に、溶着や接着等のための設備を必要とせず組み付け及び分解を容易にすることができる。
（第２の実施の形態）
図６は、第２の実施の形態の特徴部分を示した図であって、図６（ａ）は、ネット４を上ケース６に組み付ける前の状態を示す分解側断面図であって、上ケース６は、断面の端面のみを表わしている。即ち、図２ではＢ−Ｂ矢視断面を表わし、図３ではｂーｂ矢視断面を表わしたものである。図６（ｂ）は、その下面図であって、（ａ）におけるｃ−ｃ矢視図を表わしている。
第２の実施の形態は、ネット４の爪７を二股状の爪２７に代えた点が第１の実施の形態と相違する。その他の構成は第１の実施の形態と同様である。
【００３０】
爪２７は、第１の実施の形態における爪７と同様の位置に設けられる。図６（ｂ）は、爪２７を上ケース６の貫通孔６ｂに貫通させた状態を示しており、爪２７は、二股に形成され、係止状態において鉤部２７ａ、２７ｂを構成する。
【００３１】
爪２７を貫通孔６ｂに係止するには、貫通孔６ｂへの爪の貫通後、爪２７の二股鉤部２７ａ、２７ｂの間にマイナスドライバーＭＤの先を挿入し、こじるようにして先端を変形させる。こじる時にこじる方向の力が、ケースにネットが近づくような力に変換される。これにより鉤部２７ａ、２７ｂが貫通孔６ｂの下側の開口部縁部に幾分圧接して係止され、爪２７が抜け止めとして機能するようになる。
【００３２】
ネット４の周縁部４ａ、弾性体５及び上ケース６の嵌合関係は第１の実施の形態と全く同様である。
【００３３】
本実施の形態によれば、第１の実施の形態と同様の効果を奏することができるのに加え、マイナスドライバーという簡単な器具にて、ネット４を上ケースに圧接固着することが出来る。
【００３４】
（第３の実施の形態）
図７は、第３の実施の形態の特徴部分を示した図であって、ネット４を上ケース６に組み付ける前の状態を示す分解断面図であって、上ケース６は、ハッチングにてその断面を表わしている。即ち図７は、図２ではＤ−Ｄ矢視断面を、図３ではｄーｄ矢視断面を表わしたものである。但し詳細構造において、図７は、図２とは異なるところがある。図７において、前記第１実施形態と異なる点は、上ケース６の第１溝部６ａに開孔した係止孔６ｂの溝長手方向両側縁部に設けた突条片６ｃを有することである。この突条片６ｃは、溝中央にのみ突設させてもよいし、溝幅全体に渡って設けてもよい。溝長手方向の長さは任意でよく、突設長においては、弾性体５の開放端面５ｄと下面５ｃの距離（厚み）よりわずかに小さく設定される。なお、弾性体５は、一点鎖線で表わされ、点線は、第１溝部６ａの上端辺６ｄを表わす。
【００３５】
このようにしてなる実施の形態では、爪７ｃ、７ｄが係止孔６ｂに貫通して上ケース６とネット４とが近設し、爪の先端をねじってケースへのネットの固着が完了する。この場合、弾性体５の弾性変形が、爪先端のねじりによって生じ、その変形は、最大でも各突条片６ｃにネットの周縁部４ａへの当接が生じた時点で終了する。つまり、上ケース６に対するネットの上下方向の位置決めが上記突条片６ｃにてなされる。図６において、変形していない状態を示す弾性体は一点鎖線で、変形した状態を示す弾性体は点線で示している。上記当接が生じないくらいゆるく爪先端をねじっても、上ケース６とネット４とで弾性体を狭持することになるので、ネット４のガタツキは発生しない。上記位置決め精度も、一点鎖線と点線との寸法ｄ１の範囲内に収まり、これを越えることはない。さらには、ネット４の上ケース６への取付前の上ケースへの弾性体５の配設においても、ラフに溝部６ａへ弾性体５を置くだけで、この両者（上ケースと弾性体）の位置決め（長手方向及び短手方向）が該突条片６ｃにてなされる。
【００３６】
また、図７において、爪７ｃの一側面（図の左）をテーパー状に形成（点線で図示）して、その最太部と係止孔６ｂの外方口（図の上）の径を同一とするか、最太部をわずかに大きく構成している。即ち、前記突起部（爪）の溝長手方向距離と係止孔の溝長手方向距離とを前記突起部と係止孔とが嵌合し得る程度に略同一長に構成した。このことにより、ネットの上ケースに対する水平方向の位置決めを確実に行うことが出来る。このような位置決め用爪は、１ネットにつき少なくとも１個所設ければよい。上記位置決め用爪以外のその他の爪７ｄ等は、溝長手方向において、係止孔との間にわずかなクリアランスを設けておく方が作業性の面で作業しやすい。
なお、溝幅方向には、爪７ｃと係止部とにわずかなクリアランスがあってもよい。溝幅方向の位置決めは、第１の実施形態と同様に係止孔が溝幅の略中央に溝幅より小の係止孔とすることで、溝幅方向の位置決めが行われるようになっている。
【００３７】
（第４の実施の形態）
図８は、第４の実施の形態におけるネット及び弾性体の分解斜視図である。第４の実施の形態では、弾性体の構成が第１の実施の形態と異なり、その他の構成は第１の実施の形態と同様である。
【００３８】
弾性体４５は、第１の実施の形態における弾性体５よりも長尺に設定され、各弾性体４５にスリット４５ｂが設けられている。スリット４５ｂは、開放端面から底面へ貫通した孔であって、ネット４の爪７に対応する位置に設けられている。
【００３９】
なお、弾性体４５は、ネット４の周縁部４ａの２つの辺部及び円弧部に対応して設けられるが、周縁部４ａ全周に亘る単一の部材として構成してもよい。
【００４０】
ネット４を上ケース６に組み付けるには、溝６ａに弾性体４５を載置した状態で、ネット４の爪７を弾性体４５のスリット４５ｂに貫通させる。この状態で、爪７を係止孔に嵌入し、爪７のスリット４５ｂから貫通した部分をひねって変形させ、組み付けを完了する。
【００４１】
本実施の形態によれば、爪７が設計容易であるという効果を除き、第１の実施の形態と同様の効果を奏することができることに加えて、弾性体４５の長さに自由度が得られるので、弾性体４５の設計が容易になる。
【００４２】
（第５の実施の形態）
図９は、第５の実施の形態におけるネット図であって、図９（ａ）は、ネットを裏面から見た斜視図、図９（ｂ）は、上ケースの部分斜視図、図９（ｃ）は、ＡーＡ断面の部分図である。第５の実施の形態では、上ケースへのネットの係止をできる限り簡略化した実施形態であって、両者の係止部分が第１の実施の形態と異なり、その他の構成は第１の実施の形態と同様である。
【００４３】
ネット４の周縁部４ａから突設した２つの突起部７ｇ、７ｈは、各々の形態が異なっており、第１の突起部７ｇは、断面Ｇのところで、その先端部がＬ字状に折曲形成され、該突起部の長手方向の全長が、第１の実施の形態のもの（図３の７ｅ、７ｆ）に比べて、長く形成されている。第２の突起部７ｇは、第１の実施形態のものとほぼ同じであるが、その長手方向の全長が、７ａ〜７ｆに比べて、若干長く形成されている。
【００４４】
また、上ケースのＵ字溝６ａに設けられた２つの係止孔６ｇ、７ｈも若干各々の形態を異にしており、突起部７ｇに対応する係止孔６ｇは、その全長が突起部７ｇと同じか、わずかに長く形成され、突起部７ｇが、挿入しやすいように上ケースの裏面側において、図９（ｃ）に示すようにテーパー６１状に形成されている。
【００４５】
また、突起部７ｈに対応する係止孔６ｈは、第１の実施形態（図２）の係止孔６ｂに比べて、その長手方向の全長が、若干長く形成され、突起部７ｈの長手方向全長に対し少し長く形成され、この両者の結合時におけるクリアランスを有している。
【００４６】
上ケース６へのネット４の固着手順は、次のようにする。
（第１ステップ）；まず、Ｕ字溝６ａにおける係止孔６ｇ〜係止孔６ｈへの２つのパスに２つの弾性体５（図４のものとほぼ同様）を溝６ａに載置する。あるいは、Ｕ字溝６ａにおける係止孔６ｇの長手方向両端を始端及び終端とする遠回りパスと略同長の弾性体であって、その略中央に当たる係止孔６ｈ対応部分のみ中抜き透孔に形成した図８に示したと同構造の単一長尺弾性体４５（図９（ｃ）参照）を溝６ａに載置する。
【００４７】
（第２ステップ）；矢印Ｐに示すように突起部７ｇを下に７ｈを上に向けてネット４を保持し、係止孔６ｇの真上から突起部７ｇを係止孔６ｇに挿入しつつ、図において反時計方向に回転する。この時、テーパー６１にて、突起部７ｈが係止孔６ｈにガイドされるので、挿入しやすくなっている。
【００４８】
（第３ステップ）；突起部７ｇの係止孔６ｇへの回転を伴う嵌合が終了するところで、突起部７ｈが係止孔６ｈに嵌入され、上ケース６の裏面にて、突起部７ｈの先端をねじれば、固着作業が完了する。
突起部７ｇの係止孔６ｇへの係止において、突起部７ｇの先端部（Ｌ字の折曲部）がネット主要面に対し、図のように傾斜しており、なおかつ、ケース厚みｔ及び弾性体の厚みｔ１、つまりｔ＋ｔ１よりわずかに小に形成した落とし込み部の寸法ｔ２を有して先端部が形成されるようにしたので、ネットの上ケースへの上記固着作業の完了をもって、両者がしっかりと固着されるのである。
【００４９】
この実施形態にあっては、前記全ての実施形態に共通した効果を有しつつ、２つの突起部と２つの係止部及び１つの弾性体だけでも、ネットの上ケースへの取付が確実にかつ正確に行うことが出来る。
【００５０】
なお、第１、第２、第３の実施の形態では、爪７を弾性体５の両端に位置するように設定したが、抜け止めとしての機能を確保できるならば、配置を変え、あるいは数を削減してもよい。
【００５１】
なお、上記各実施の形態では、弾性体５、４５をネット４の周縁部４ａの所定箇所のそれぞれに対応して設けたが、これに限るものでなく、上ケース６に弾性体５を介してネット４が安定して支持されるのに十分なように、弾性体５、４５の数、長さ及び組み付け位置を適当に設定すればよい。
【００５２】
なお、上記各実施の形態では、本発明の取付け構造を電子楽器に適用したが、これに限るものでなく、オーディオ機器等のスピーカを有する各種装置に適用可能である。
【００５３】
【発明の効果】
以上説明したように、本発明のスピーカ用ネットの取り付け構造によれば、びりつきを回避しつつ外観を良好にすると共に、溶着や接着等の設備を必要とせず組み付け及び分解を容易にすることができる。
【図面の簡単な説明】
【図１】本発明の第１の実施の形態に係るスピーカ用ネットの取り付け構造が適用される電子楽器本体の外観図である。
【図２】上ケースの部分斜視図である。
【図３】スピーカ用ネットを裏側からみた斜視図である。
【図４】図２のＡ−Ａ線に沿う上ケースの部分断面図にネット及び弾性体を併せて示した分解断面図である。
【図５】ネットを上ケースに組み付けた状態を示す部分断面図である。
【図６】本発明の第２の実施の形態を示し、ネットを上ケースに組み付ける前の状態を示す分解断面図である。
【図７】本発明の第３の実施の形態を示し、ネットを上ケースに組み付ける前の状態を示す分解断面図である。
【図８】本発明の第４の実施の形態におけるネットと弾性体と上ケースとの分解斜視図である。
【図９】本発明の第５の実施の形態を示し、ネットを上ケースに組み付ける前の状態を示す分解斜視図である。
【符号の説明】
４  スピーカ用ネット
４ａ  周縁部
４５  弾性体
５  弾性体
５ｄ  弾性体の開放端面
６  上ケース
６ａ  Ｕ字溝（溝部）
６ｃ  溝部底面
６ｂ  貫通孔（係止部）
６ｇ、６ｈ  係止孔（係止部）
７  爪（突起部）
７ａ〜７ｈ  爪（突起部）
ｗ１  所定距離
【図１】
0003555494.tif 000002
【図２】
0003555494.tif 000003
【図３】
0003555494.tif 000004
【図４】
0003555494.tif 000005
【図５】
0003555494.tif 000006
【図６】
0003555494.tif 000007
【図７】
0003555494.tif 000008
【図８】
0003555494.tif 000009
【図９】
0003555494.tif 000010